(57)【特許請求の範囲】
【請求項１】
下地フレームと、この下地フレームに取り付けられた外壁面材とを備える外壁パネルであって、
前記下地フレームは、左右方向に延びる上側および下側の各親胴縁と、互いに左右方向に間隔を開けて配置される上下方向に延びる複数本の縦胴縁とで形成され、これら複数本の縦胴縁のうち左右一方端に位置する縦胴縁である目地位置縦胴縁は、前記上側および下側の各親胴縁の左右一方端同士を連結しており、
前記目地位置縦胴縁は、上端が前記上側の親胴縁よりも上方に突出し、かつ下端が前記下側の親胴縁よりも上方に位置し、
前記目地位置縦胴縁と前記下側の親胴縁とは、Ｌ形金物を介して互いに接合され、
前記目地位置縦胴縁と前記外壁面材との間に、前記外壁面材の裏面側に沿って上下方向に通る排水溝を有する止水材が介在し、この止水材は、前記目地位置縦胴縁の上端から前記下側の親胴縁の下端に至る上下長を有し、前記排水溝は上端部の左右幅が上端部以外の左右幅よりも広がっており、この広がった前記排水溝の上端部の左右幅は前記止水材の下端部の左右幅よりも広いことを特徴とする外壁パネル。
【請求項２】
請求項１に記載の外壁パネルにおいて、前記止水材は、上端部の左右幅が上端部以外の左右幅よりも広がった止水用板と、この止水用板は左右端縁に沿って設けられた帯状のシーリングテープとを有し、これら左右端縁に沿って設けられたシーリングテープより内側の部分が前記排水溝となっている外壁パネル。
【請求項３】
外壁パネルが上下に並ぶ外壁における上段の外壁パネルと下段の外壁パネルとの間の止水構造であって、
前記上段の外壁パネルと前記下段の外壁パネルには、これら外壁パネルの裏面側に沿って上下方向に通る排水溝を有する止水材がそれぞれ設けられ、前記下段に位置する外壁パネルに設けられた前記止水材の排水溝の上端部内に、前記上段に位置する外壁パネルに設けられた前記止水材の下端部が位置することを特徴とする外壁の止水構造。
【請求項４】
請求項３に記載の外壁の止水構造において、前記外壁パネルは、下地フレームと、この下地フレームに取り付けられた外壁面材とを備え、前記下地フレームは、左右方向に延びる上側および下側の各親胴縁と、互いに左右方向に間隔を開けて配置される上下方向に延びる複数本の縦胴縁とで形成され、これら複数本の縦胴縁のうち左右一方端に位置する縦胴縁である目地位置縦胴縁は、前記上側および下側の各親胴縁の左右一方端同士を連結しており、
上下に並ぶ２つの前記外壁パネルにおいて、前記下段に位置する外壁パネルの前記目地位置縦胴縁は、上端が前記上側の親胴縁よりも上方に突出し、かつ前記上段に位置する外壁パネルの前記目地位置縦胴縁は、下端が前記下側の親胴縁よりも上方に位置し、前記目地位置縦胴縁と前記下側の親胴縁とは、Ｌ形金物を介して互いに接合され、前記上段に位置する外壁パネルの前記目地位置縦胴縁と前記外壁面材との間、および前記下段に位置する外壁パネルの前記目地位置縦胴縁と前記外壁面材との間に前記止水材がそれぞれ介在している外壁の止水構造。
【発明の詳細な説明】
【技術分野】
【０００１】
この発明は、物流施設等の鉄骨系建物の建物躯体に取り付けられる外壁パネル、および外壁の止水構造に関する。
【背景技術】
【０００２】
物流施設等の鉄骨系建物は、建物躯体に複数の外壁パネルを上下左右に並べて取り付けて外壁が構成されることがある。このような構造の建物において、左右に隣り合う外壁パネル間の目地は、目地材を充填して防水処理される。また、目地材の劣化や欠損等により雨水が目地材の奥に浸入した場合に備えて、浸入した雨水を屋内に浸入させることなく下方に排出する排水経路が設けられる。
【０００３】
特許文献１〜３に、捨て板と呼ばれる止水用板を用いて排水経路を構成する技術が開示されている。従来、捨て板を用いた止水構造では、先に建物躯体に捨て板を施工し、その屋外側に金属サンドイッチパネル等の外壁面材を取り付けていた。
【先行技術文献】
【特許文献】
【０００４】
【特許文献１】特公平７−５４０３４号公報
【特許文献２】実公平６−４７０４６号公報
【特許文献３】特許第５００８９６６号公報
【発明の概要】
【発明が解決しようとする課題】
【０００５】
しかし、下地フレームに外壁面材を取り付けた下地一体型の外壁パネルで構成されている外壁に、従来の捨て板を用いた止水構造を適用すると、捨て板の損傷、捨て板に貼り付けられたシーリングテープの捩れ等により、防水機能が低下し、漏水リスクが高まる可能性がある。
【０００６】
この発明の目的は、目地から浸入した水を建物躯体側へ漏水させることなく排出することができ、かつ施工が容易な外壁パネルを提供することである。
この発明の他の目的は、上下に並ぶ外壁パネル間の止水性能を向上させることができる外壁の止水構造を提供することである。
【課題を解決するための手段】
【０００７】
この発明の外壁パネルは、下地フレームと、この下地フレームに取り付けられた外壁面材とを備え、
前記下地フレームは、左右方向に延びる上側および下側の各親胴縁と、互いに左右方向に間隔を開けて配置される上下方向に延びる複数本の縦胴縁とで形成され、これら複数本の縦胴縁のうち左右一方端に位置する縦胴縁である目地位置縦胴縁は、前記上側および下側の各親胴縁の左右一方端同士を連結しており、
前記目地位置縦胴縁は、上端が前記上側の親胴縁よりも上方に突出し、かつ下端が前記下側の親胴縁よりも上方に位置し、
前記目地位置縦胴縁と前記下側の親胴縁とは、Ｌ形金物を介して互いに接合され、
前記目地位置縦胴縁と前記外壁面材との間に、前記外壁面材の裏面側に沿って上下方向に通る排水溝を有する止水材が介在し、この止水材は、前記目地位置縦胴縁の上端から前記下側の親胴縁の下端に至る上下長を有し、前記排水溝は上端部の左右幅が上端部以外の左右幅よりも広がっており、この広がった前記排水溝の上端部の左右幅は前記止水材の下端部の左右幅よりも広いことを特徴とする。
【０００８】
この構成によると、外壁パネルを上下に並べて建物躯体に取り付けた場合、下段に位置する外壁パネルの目地位置縦胴縁の上端と上段に位置する外壁パネルの目地位置縦胴縁の下端とが、上段に位置する外壁パネルの下側の親胴縁よりも高い位置で対向する。止水材が上記長さおよび形状であるため、上段の外壁パネルに設けられた止水材を下段の外壁パネルに設けられた止水材よりも屋外側に沿わせることにより、下段に位置する外壁パネルに設けられた止水材の排水溝内に上段に位置する外壁パネルに設けられた止水材が位置するようになる。これにより、上段に位置する外壁パネルに設けられた止水材の排水溝を流れる水が、建物躯体側に漏水することなく、下段に位置する外壁パネルに設けられた止水材の排水溝に流れる。
【０００９】
この外壁パネルの構成であると、下地フレームの目地位置縦胴縁に止水材を固定し、その上から外壁面材を下地フレームに組み付けるだけで、止水構造を構築することができる。このように構築された止水構造は、止水材が目地位置縦胴縁と外壁面材とに挟まれているため、施工時等での止水材の損傷等の可能性が低く、目地の防水機能の低下を抑制できる。
【００１０】
この発明において、前記止水材は、上端部の左右幅が上端部以外の左右幅よりも広がった止水用板と、この止水用板は左右端縁に沿って設けられた帯状のシーリングテープとを有し、これら左右端縁に沿って設けられたシーリングテープより内側の部分が前記排水溝となっていてもよい。
この場合、止水材を現場で容易に施工することができる。
【００１１】
この発明の外壁の止水構造は、外壁パネルが上下に並ぶ外壁における前記上段の外壁パネルと前記下段の外壁パネルとの間の止水構造であって、
前記上段の外壁パネルと前記下段の外壁パネルには、これら外壁パネルの裏面側に沿って上下方向に通る排水溝を有する止水材がそれぞれ設けられ、前記下段の外壁パネルに設けられた前記止水材の前記排水溝の上端部内に、前記上段の外壁パネルに設けられた前記止水材の下端部が位置することを特徴とする。
【００１２】
この構成によると、下段の外壁パネルに設けられた止水材の排水溝の上端部内に、上段の外壁パネルに設けられた止水材の下端部が位置するため、上段の外壁パネルに設けられた止水材の排水溝を流れる水が、建物躯体側に漏水することなく、下段の外壁パネルに設けられた止水材の排水溝に流れる。
【００１３】
この発明において、前記外壁パネルは、下地フレームと、この下地フレームに取り付けられた外壁面材とを備え、前記下地フレームは、左右方向に延びる上側および下側の親胴縁と、互いに左右方向に間隔を開けて配置される上下方向に延びる複数本の縦胴縁とで形成され、これら複数本の縦胴縁のうち左右一方端に位置する縦胴縁である目地位置縦胴縁は、前記上側および下側の各親胴縁の左右一方端同士を連結しており、
上下に並ぶ２つの前記外壁パネルにおいて、前記下段に位置する外壁パネルの前記目地位置縦胴縁は、上端が前記上側の親胴縁よりも上方に突出し、かつ前記上段に位置する外壁パネルの前記目地位置縦胴縁は、下端が前記下側の親胴縁よりも上方に位置し、前記目地位置縦胴縁と前記下側の親胴縁とは、Ｌ形金物を介して互いに接合され、前記上段に位置する外壁パネルの前記目地位置縦胴縁と前記外壁面材との間、および前記下段に位置する外壁パネルの前記目地位置縦胴縁と前記外壁面材との間に前記止水材がそれぞれ介在していてもよい。
この場合、この発明の外壁の止水構造は、下地一体型の外壁パネルが取り付けられる外壁に適用される。
【発明の効果】
【００１４】
この発明の外壁パネルは、目地から浸入した水を建物躯体側へ漏水させることなく排出することができ、かつ施工が容易である。
また、この発明の外壁の止水構造は、上下に並ぶ外壁パネル間の止水性能を向上させることができる。
【図面の簡単な説明】
【００１５】
【図１】この発明の一実施形態にかかる外壁パネルを屋外側から見た正面図である。
【図２】同外壁パネルを屋内側から見た斜視図である。
【図３】同外壁パネルの外壁面材の断面図である。
【図４】上下に隣り合う外壁面材の接続部分の断面図である。
【図５】（Ａ）は図１のａ部の拡大正面図、（Ｂ）はその側面図である。
【図６】（Ａ）は図１のｂ部の拡大正面図、（Ｂ）はその側面図である。
【図７】外壁パネルを建物躯体に取り付ける状況を示す説明図である。
【図８】（Ａ）は外壁パネルを建物躯体に取り付ける過程を示す正面図、（Ｂ）はその側面図である。
【図９】（Ａ）は建物躯体に上下左右に並べて取り付けられた各外壁パネルの境界部を屋外側から見た正面図、（Ｂ）はその側面図である。
【図１０】図９（Ａ）のＸ−Ｘ断面図である。
【発明を実施するための形態】
【００１６】
この発明の一実施形態を図面と共に説明する。
図１はこの発明の一実施形態にかかる外壁パネルを屋外側から見た正面図、図２は同外壁パネルを屋内側から見た斜視図である。この外壁パネル１は、例えば物流施設となる倉庫、コンビニエンスストア等の鉄骨系建物の外壁に使用される。外壁パネル１は、下地一体型の外壁パネルであって、下地フレーム２に複数枚の外壁面材３を上下に並べて取り付けてある。図の例では、外壁面材３が上下４段に並べられている。
【００１７】
下地フレーム２は、外壁面材３の横幅方向（図１の左右方向）に延びる横架材である上下の親胴縁４，５と、これら上下の親胴縁４，５を連結する上下方向に延びる複数本の縦胴縁６とでなる。以下、横幅方向を「左右方向」と記載する。各縦胴縁６は、左右方向に間隔を開けて配置されている。親胴縁４，５および縦胴縁６は例えば角パイプからなる。親胴縁４，５と縦胴縁６とは、一部を除き例えば溶接により接合されている。複数本の縦胴縁６のうち左右一方端（図１の右端）に位置する縦胴縁である目地位置縦胴縁６Ａは、上端が上側の親胴縁４よりも上方に突出し、下端が下側の親胴縁５よりも上方に位置している。
【００１８】
各外壁面材３は、下地フレーム２の各縦胴縁６に組み付けられる。その組付状態において、屋外側から見て外壁面材３の右端は正面視で目地位置縦胴縁６Ａの一部に重なり、かつ外壁面材３の左端は左端の縦胴縁６Ｂよりも左側に突出している。目地位置縦胴縁６Ａと下側の親胴縁５とは、Ｌ形金物７を介して互いに接合されている。
【００１９】
外壁面材３としては、例えば図３に示すように、ロックウール等の不燃断熱材１０を鋼板１１，１２で挟み込んだ金属サンドイッチパネルが用いられる。２枚の外壁面材３を上下に並べた場合、図４のように、下段に位置する外壁面材３の上端部と上段に位置する外壁面材３の下端部とが、互いに凹凸形状として噛み合うことで、水密性および耐火性能を満たすようにされている。
【００２０】
図５は図１のａ部の拡大正面図および側面図、図６は図１のｂ部の拡大正面図および側面図である。図示のように、前記目地位置縦胴縁６Ａと外壁面材３との間に、外壁面材３の裏面側に沿って上下方向に通る排水溝１０ａを有する止水材１０が介在している。下地フレーム２に外壁面材３を組み付けることで、排水溝１０ａの開口面が外壁面材３によって塞がれて、目地位置縦胴縁６Ａと外壁面材３との間に上下方向に通る後述の排水経路が形成される。止水材１０は、目地位置における目地位置縦胴縁６Ａと外壁面材３間の止水構造を構成する。
【００２１】
この実施形態の止水材１０は、上下に長い止水用板１１の左右端縁に沿って帯状のシーリングテープ１２をそれぞれ貼着したものであり、左右のシーリングテープ１２の間が前記排水溝１０ａとなっている。この構成であると、止水材１０を現場で容易に施工することができる。施工の手順としては、例えば、目地位置縦胴縁６Ａに止水用板１１を固定し、この止水用板１１にシーリングテープ１２を貼り、その上から外壁面材３を下地フレーム２に組み付ける。
【００２２】
止水材１０は、目地位置縦胴縁６Ａの上端から下側の親胴縁５の下端に至る上下長を有する。よって、止水材１０の下端部は、目地位置縦胴縁６Ａよりも下方に突出している。止水用板１１は、大半部分が目地位置縦胴縁６Ａと同じ左右幅であり、上端部のみ目地位置縦胴縁６Ａよりも左右幅が広くなっている。この形状の止水用板１１の左右端縁に沿ってシーリングテープ１２を貼着することで、排水溝１０ａの左右幅も上端部のみが上端部以外よりも広がっている。この広がった排水溝１０ａの上端部の左右幅ｗ１は、止水材１０の下端部の左右幅ｗ２よりも広い。なお、図５（ｂ）、図６（ｂ）では、止水材１０が目地位置縦胴縁６Ａから離れて図示されているが、実際には、止水材１０は目地位置縦胴縁６Ａに接する状態で固定される。
【００２３】
この外壁パネル１は、図７のように、クレーン等で吊り上げて建物躯体（図示せず）の取付け箇所まで運ばれて、建物躯体に取り付けられる。その際、吊り上げられた外壁パネル１を前記外壁パネル取付け箇所の上方近傍で一旦静止させる。そして、図８のように、外壁パネル１の下端部を人手で屋外側へ押して、この外壁パネル１の止水材１０を、建物躯体に先行して取り付けられている下段に位置する外壁パネル１の止水材１０の屋外側に沿わせる。その後、吊り上げられた外壁パネル１をゆっくり下ろして、図４のように、吊り上げられている外壁パネル１の最下段に組み付けられた外壁面材３の凹部３ａ，３ｂと、下段に位置する外壁パネル１の最上段に組み付けられた外壁面材３の凸部３ｃ，３ｄとをそれぞれ嵌合させる。そして、外壁パネル１の下地フレーム２を建物躯体に固定することで、外壁パネル１の取付けが完了する。
【００２４】
図９（Ａ）は建物躯体に上下左右に並べて取り付けられた各外壁パネルの境界部を屋外側から見た正面図、図９（Ｂ）はその側面図である。図示のように、屋外側から見て左列の外壁パネル１Ａ，１Ｂの外壁面材３と右列の外壁パネル１Ｃ，１Ｄの外壁面材３とが、目地２０を挟んで左右に対向している。目地２０は、左列の外壁パネル１Ａ，１Ｂの各目地位置縦胴縁６Ａと正面視で重なる位置にある。また、左列下段に位置する外壁パネル１Ｂの目地位置縦胴縁６Ａの上端面６Ａａ（図９（Ｂ））と、左列上段に位置する外壁パネル１Ａの目地位置縦胴縁６Ａの下端面６Ａｂ（図９（Ｂ））とが、左列上側に位置する外壁パネル１Ａの下側の親胴縁５よりも高い位置で対向している。
【００２５】
図９（Ａ）のＸ−Ｘ断面図である図１０に示すように、前記目地２０は、屋外側から充填された目地材２１によって防水処理される。目地材２１の屋内側には、止水材１０の排水溝１０ａからなる排水経路が形成されている。このため、目地材２１の劣化や欠損等により雨水が目地材２０の奥まで浸入した場合でも、その雨水が前記排水経路を通って排出される。左列上段に位置する外壁パネル１Ａ（図１０には図示せず）の止水材１０Ａの下端部は、左列下段に位置する外壁パネル１Ｂの止水材１０の上端部の屋外側に重なり、かつ左列下段に位置する外壁パネル１Ｂの止水材１０Ｂの排水溝１０ａＢ内に位置する。このため、左列上段に位置する外壁パネル１Ａの止水材１０Ａの排水溝１０ａＡを流れる水が、建物躯体側へ漏水することなく、左列下段に位置する外壁パネル１Ｂの止水材１０Ｂの排水溝１０ａＢに流れる。
【００２６】
この発明の外壁の止水構造は、上記実施形態のような下地一体型の外壁パネル１が上下に並ぶ外壁に限らず、下地一体型ではない外壁パネルが上下に並ぶ外壁における上段の外壁パネルと下段の外壁パネルとの間の止水にも適用することができる。
【符号の説明】
【００２７】
１，１Ａ，１Ｂ，１Ｃ，１Ｄ…外壁パネル
２…下地フレーム
３…外壁面材
４…上側の親胴縁
５…下側の親胴縁
６…縦胴縁
６Ａ…目地位置縦胴縁
１０…止水材
１０ａ…排水溝
１１…止水用板
１２…シーリングテープ
【図１】
0006745611.tif 000002
【図２】
0006745611.tif 000003
【図３】
0006745611.tif 000004
【図４】
0006745611.tif 000005
【図５】
0006745611.tif 000006
【図６】
0006745611.tif 000007
【図７】
0006745611.tif 000008
【図８】
0006745611.tif 000009
【図９】
0006745611.tif 000010
【図１０】
0006745611.tif 000011